(57)【要約】  トリガー可能なスパークギャップ（ＴＦ）とトリガー回路（ＴＲＧ）とを備えるスパークギャップ装置（ＦＳＡ）が提供される。  このスパークギャップ装置（ＦＳＡ）は、さらに、第１および第２の電荷貯蔵器（Ｃ１，Ｃ２）と、電圧リミッタ部品（ＳＢＫ）と、トリガーダイオード（ＤＩ）と、トリガー可能な避雷素子（ＴＨ）と、トランス（ＴＲ）と、を備える。この電圧リミッタ部品（ＳＢＫ）およびこのトリガーダイオード（ＤＩ）は、入力インパルスを所定の電圧範囲で導通させ、上記の第１の電荷貯蔵器（Ｃ１）を充電するように設定されている。さらにこのトリガー回路（ＴＲＧ）は、トリガー可能な避雷器（ＴＨ）が、第１の電荷貯蔵器（Ｃ１）にかかる電圧に依存して導通して、第２の電荷貯蔵器（Ｃ２）をトランス（ＴＲ）の一次側（Ｔ１）を介して放電するように構成されている。【選択図】  図１
2016532260.tif 000002
【特許請求の範囲】
【請求項１】
トリガー可能なスパークギャップ（ＴＦ）とトリガー回路（ＴＲＧ）とを有するスパークギャップ装置であって、
前記トリガー回路は、第１および第２の電荷貯蔵器（Ｃ１，Ｃ２）と、電圧リミッタ部品（ＳＢＫ）と、トリガーダイオード（ＤＩ）と、トリガー可能な避雷素子（ＴＨ）と、トランス（ＴＲ）と、を備え、
前記電圧リミッタ部品（ＳＢＫ）および前記トリガーダイオード（ＤＩ）は、入力インパルスを所定の電圧範囲で導通させ、前記第１の電荷貯蔵器（Ｃ１）を充電するように設定されており、
前記トリガー回路（ＴＲＧ）は、前記トリガー可能な避雷器（ＴＨ）が、前記第１の電荷貯蔵器（Ｃ１）にかかる電圧に依存して導通して、前記第２の電荷貯蔵器（Ｃ２）を前記トランス（ＴＲ）の一次側（Ｔ１）を介して放電し、
前記トランス（ＴＲ）の二次側（Ｔ２）は、前記トリガー可能なスパークギャップ（ＴＦ）に接続されている、
ことを特徴とするスパークギャップ装置。
【請求項２】
前記所定の電圧範囲は、４２０ボルト〜４８０ボルトであることを特徴とする、請求項１に記載のスパークギャップ装置。
【請求項３】
前記トリガー回路（ＴＲＧ）の入力に３８０ボルト〜４２０ボルトの動作電圧が印加されていることを特徴とする、請求項１または２に記載のスパークギャップ装置。
【請求項４】
前記電圧リミッタ部品（ＳＢＫ）は、複数のツェナーダイオードを備えることを特徴とする、請求項１乃至３のいすれか１項に記載のスパークギャップ装置。
【請求項５】
前記電圧リミッタ部品（ＳＢＫ）は、前記ツェナーダイオードの降伏電圧が前記所定の電圧範囲を規定することを特徴とする、請求項４に記載のスパークギャップ装置。
【請求項６】
前記電圧リミッタ部品（ＳＢＫ）は、それぞれ３３ボルトの降伏電圧を有する１３個のツェナーダイオードを備えることを特徴とする、請求項１乃至５のいずれか１項に記載のスパークギャップ装置。
【請求項７】
前記トリガー可能な避雷素子（ＴＨ）は１つのサイリスタ（ＴＨ）を備え、前記トリガーダイオード（ＤＩ）は、前記電圧リミッタ部品（ＳＢＫ）に対し直列に接続され、かつ当該サイリスタ（ＴＨ）を前記第１の電荷貯蔵器にかかる電圧に依存して導通するように接続することを特徴とする、請求項１乃至６のいずれか１項に記載のスパークギャップ装置。
【請求項８】
前記トリガー回路（ＴＲＧ）は、第１の抵抗（Ｒ３）を備え、当該第１の抵抗（Ｒ３）は、前記第２の電荷貯蔵器（Ｃ２）が前記トリガー回路（ＴＲＧ）の動作中に２８０ボルト〜３２０ボルトの電圧に充電されるように構成されていることを特徴とする、請求項１乃至７のいずれか１項に記載のスパークギャップ装置。
【請求項９】
前記トリガー回路（ＴＲＧ）は、第２の抵抗（Ｒ２）を備え、前記トリガー回路（ＴＲＧ）が前記第１の電荷貯蔵器（Ｃ１）を、前記第２の抵抗（Ｒ２）を介して前記入力インパルスによって充電するように構成されていることを特徴とする、請求項１乃至８のいずれか１項に記載のスパークギャップ装置。
【請求項１０】
前記トリガー回路（ＴＲＧ）は、もう１つの電圧リミッタ部品（Ｄ４，Ｄ５）を備え、当該電圧リミッタ部品は前記トランス（ＴＲ）の一次側（Ｔ１）での電圧を所定の値の制限するように構成されていることを特徴とする、請求項１乃至９のいずれか１項に記載のスパークギャップ装置。
【請求項１１】
前記トリガー回路（ＴＲＧ）は、第３の抵抗（Ｒ４）を備え、前記トリガー回路（ＴＲＧ）は、前記第１の抵抗（Ｒ３）および前記第３の抵抗（Ｒ４）が前記トランス（ＴＲ）の一次側用の電圧分割器を形成するように構成されていることを特徴とする、請求項３乃至１０のいずれか１項に記載のスパークギャップ装置。
【請求項１２】
前記スパークギャップ装置は、前記トリガー可能なスパークギャップ（ＴＦ）と接続された１つのヒューズを備え、当該ヒューズは１つの電子部品を前記動作電圧から切り離すように構成されていることを特徴とする、請求項１乃至１１のいずれか１項に記載のスパークギャップ装置。
【請求項１３】
請求項１乃至１２のいずれか１項に記載のスパークギャップ装置を有する電子デバイスであって、
当該電子デバイスは、前記電子部品を備え、かつ前記電子部品に前記動作電圧を印加するように構成されていることを特徴とする電子デバイス。
【請求項１４】
前記電子部品は、５００ボルトの最大電圧を有する１つのスーパーキャパシタであることを特徴とする、請求項１３に記載の電子デバイス。
【発明の詳細な説明】
【技術分野】
【０００１】
本発明は、トリガー可能なスパークギャップ（Funkenstrecke）を有するスパークギャップ装置に関する。
【背景技術】
【０００２】
従来のトリガー可能なスパークギャップは、通常少なくとも３つの電極を備えている。たとえばこれらの電極は、ガス充填された１つの空間に配設され、ここで適切な電圧が電極の１つに、好ましくは１つのトリガー電極に印加することによって、これらの電極の間のスパークギャップが点火される。この際たとえばガス充填された空間においてイオン化されたギャップが生成され、このイオン化されたギャップを介してこれらの電極の間に電流が流れる。
【０００３】
このようなトリガー可能なスパークギャップは、たとえば、電子部品、具体的には直流で駆動される電子部品を、過電圧から保護するような、サージ電圧避雷器の構成部品であってよい。この目的のため、このトリガー可能なスパークギャップは、それぞれの電子部品の１つの動作電圧に接続されていてよい。たとえば突然の電圧上昇に際して、このトリガー可能なスパークギャップは、印加される動作電圧を短絡することができる。さらにこのトリガー可能なスパークギャップは、好適に１つのヒューズ（Sicherung）と接続されており、このトリガー可能なスパークギャップの電極間を電流が流れると直に、すなわちこのトリガー可能なスパークギャップが点火または動作開始すると、このヒューズが動作し、これらの電子部品の電流回路が遮断される。
【発明の概要】
【発明が解決しようとする課題】
【０００４】
本発明が解決すべき課題は、上記のトリガー可能なスパークギャップが１つの所定の電圧範囲において点火するスパークギャップ装置を提示することである。
【課題を解決するための手段】
【０００５】
この課題は請求項１の特徴を有するスパークギャップにより解決される。有利な構成および派生例は従属請求項に示されている。
【０００６】
本発明が提案するスパークギャップ装置は、１つのトリガー可能なスパークギャップと，１つの第１の電荷貯蔵器および１つの第２の電荷貯蔵器，１つの電圧リミッタ部品，１つのトリガーダイオード，１つのトリガー可能な避雷素子，および１つのトランスを備える１つのトリガー回路とを備える。この電圧リミッタ部品は、たとえば１つ以上の半導体ダイオードを備えてよい。この電圧リミッタ部品およびこのトリガーダイオードは、入力インパルスを所定の電圧範囲で導通させ、上記の第１の電荷貯蔵器を充電するように設定されている。
【０００７】
この入力インパルスは、望ましくない電圧インパルス、具体的には他の回路接続された電子部品に対し損傷を与える電圧インパルスであり得る。この電圧インパルスは、たとえば回路の部品の誤動作または破損によってもたらされる。
【０００８】
このトリガー可能なスパークギャップは、トリガー可能な避雷素子が、上記の第１の電荷貯蔵器にかかる電圧に依存して導通して、上記の第２の電荷貯蔵器を上記のトランスの一次側を介して放電する。このトランスの２次側は、このトリガー可能なスパークギャップと接続されている。このトリガー可能なスパークギャップの利点は、たとえば電気的に制御された、電圧に弱いデバイスまたは部品を備えた電圧変換器または電圧コンバータで、過電圧保護として機能することができるということである。上記のトリガー回路は、このスパークギャップ装置と協働して所定の条件を満足する電圧許容誤差を達成するために設けられており、これは１つのトリガー可能なスパークギャップのみでは達成することができないものである。
【０００９】
１つの好ましい実施形態においては、上記の所定の電圧範囲は、４２０Ｖ〜４８０Ｖである。この実施形態により、まさに上述の電圧範囲において電圧リミッタ部品によって入力インパルスが通電されるということが好適に達成される。これはトリガー可能なスパークギャップが動作開始あるいは点火することを可能とする。好適には、上記の所定の電圧範囲は、上記の電気部品の最大電圧よりも小さく、これらの部品が過電圧に対して保護されることになる。
【００１０】
１つの好ましい実施形態においては、上記のトリガー回路に動作電圧として１つの直流電圧が印加されている。
【００１１】
１つの好ましい実施形態においては、上記のトリガー回路に３８０Ｖ〜４２０Ｖの動作電圧が印加されている。この実施形態により、本発明によるスパークギャップ装置は、たとえばこの動作電圧で駆動される、電子制御された電圧変換器におけるアプリケーションに適合することができる。
【００１２】
１つの好ましい実施形態においては、上記の電圧リミッタ部品が入力インパルスを通電する電圧は、上記のトリガー回路の動作温度に依存する。この依存性は、たとえば上記の電圧リミッタ部品の特性電圧の熱的ドリフト特性からもたらされ得る。
【００１３】
１つの好ましい実施形態においては、上記の電圧リミッタ部品は、複数のツェナーダイオードを備える。この実施形態によって、上記の所定の電圧範囲に適合する電圧リミッタ部品をとりわけ好適に提供することができる。これらのツェナーダイオードは、好ましくは上記のトリガー回路において直列に接続されており、上記の駆動電圧はこれらのツェナーダイオードに渡って均等に降下するようになっている。これらのツェナーダイオードまたはこれらのダイオードの数は、上記の入力インパルスが上記の所定の電圧範囲においてこれらのツェナーダイオードによって通電されるような程度とすることができ、すなわち調整することができる。これらのツェナーダイオードの総数またはこれらのツェナーダイオード自体は、好ましくは、上記の電圧リミッタ部品が上記の入力インパルスが、この入力インパルスの電圧が上記の所定の電圧範囲にある場合のみ通電されるように調整され、またはこのようにスケーリングされている。
【００１４】
上記のトリガー回路は、代替として上記のツェナーダイオード（複数）と直列に接続された１つの直列抵抗を備えてよく、これはこれらのツェナーダイオードによって降下する電圧を、この直列抵抗により降下する分の電圧だけ上記の駆動電圧に対して抑えるためである。
【００１５】
１つの好ましい実施形態においては、上記の電圧リミッタ部品は、上記のツェナーダイオードの降伏電圧（複数）の許容範囲、またはこれらの降伏電圧自体を所定の電圧範囲に規定するように設定されている。これらのツェナーダイオードの降伏電圧あるいはツェナー電圧は、温度依存であってよい。これらのツェナーダイオードの降伏電圧の許容範囲は、好ましくは温度で決まる許容範囲である。
【００１６】
１つの好ましい実施形態においては、上記の電圧リミッタ部品は、それぞれ３３ボルトの降伏電圧を有する１３個のツェナーダイオードを備える。この構成により、この電圧リミッタ部品が上記の所定の電圧範囲の限界値内で上記の入力インパルスを通電するように、この降伏電圧の温度ドリフトを所定の電圧に規定することを可能とすることができ、有利である。さらにこの電圧リミッタ部品の通電電圧はたとえば約４２０ボルトまたは他の電圧に設定することができる。
【００１７】
これらのツェナーダイオードの降伏電圧の正の温度係数によって、この降伏電圧が１つの電圧範囲に渡って温度によって決まり、特に上記の所定の電圧範囲にあるかまたは分布しており、これよりこの所定の電圧範囲において上記の入力インパルスの通電が上記の電圧リミッタ部品によって行われることが好適に達成される。
【００１８】
１つの好ましい実施形態においては、上記のツェナーダイオード（複数）の降伏電圧（複数）の和が、上記の所定の電圧範囲の下限値を規定する。
【００１９】
１つの好ましい実施形態においては、上記のトリガー回路の動作の際の降伏電圧の最大温度ドリフトが、上記の所定の電圧範囲の上限値を規定する。具体的には、この際上記の所定の電圧範囲の上限値は、上記のトリガー回路の動作の際の上記のツェナーダイオード（複数）の最大通電電圧によって規定され得る。
【００２０】
１つの好ましい実施形態においては、上記のトリガー可能な避雷素子は１つのサイリスタを備え、ここで上記のトリガーダイオードは、上記の電圧リミッタ部品に対し直列に接続され、かつこのサイリスタを上記の第１の電荷貯蔵器にかかる電圧に依存して導通するように接続する。もしこの第１の電荷貯蔵器の電圧が上記の導通電圧に達すると、このトリガーダイオードは導通状態に変更され、このサイリスタの制御電極に制御電流が与えられ、このサイリスタは点火すなわち導通するようにスイッチングされる。この際このサイリスタは第２の電荷貯蔵器によって、トランスの一次側を介して放電を起こすようにスイッチングされる。
【００２１】
１つの好ましい実施形態においては、上記のトリガー回路は、１つの第１の抵抗を備え、ここでこの第１の抵抗は、上記の第２の電荷貯蔵器がこのトリガー回路の動作中に２８０ボルト〜３２０ボルトの電圧、好ましくは３００ボルトの電圧に充電されるように構成されている。
【００２２】
１つの好ましい実施形態においては、上記のトリガー回路は、１つの第２の抵抗を備え、ここでこのトリガー回路は、上記の第１の電荷貯蔵器を、この第２の抵抗を介して、上記の入力インパルスによって充電するように構成されている。この第１の電荷貯蔵器は、コンデンサ、具体的には、上記のサイリスタの望ましくない通電を抑止するためのデカップリングコンデンサであってよい。
【００２３】
１つの好ましい実施形態においては、上記のトリガー回路はもう１つの電圧リミッタ部品を備え、この電圧リミッタ部品は、上記のトランスの一次側への電圧を１つの所定値に制限するように構成されている。この制限とは、好ましくはこのトランスの一次側の過電圧保護のことである。この所定値は、このトランスの一次側の所定の最大電圧であってよい。
【００２４】
１つの好ましい実施形態においては、上記のトリガー回路は、１つの第３の抵抗を備え、ここでこのトリガー回路は、上記の第１の抵抗およびこの第３の抵抗が、このトリガー回路および／または上記のトランスの動作電圧または一次側電圧に対する電圧分割器を形成するように構成されている。この第１の抵抗および第３の抵抗の抵抗値によって、すなわちこの電圧分割器のスケーリングによって、上記の第２の電荷貯蔵器が上記のトリガー回路の動作中に充電される電圧が有利に決定される。
【００２５】
１つの好ましい実施形態においては、本発明によるスパークギャップ装置は、上記のトリガー可能なスパークギャップと接続された１つのヒューズを備え、ここでこのヒューズは１つの電子部品を上記の動作電圧から切り離すように構成されている。  この電子部品は、本発明によるスパークギャップ装置によって過電圧に対して保護されるべき電子デバイスであってよい。
【００２６】
１つの好ましい実施形態においては、上記のトリガー回路は、１つのハウジング内に上記のトリガー可能なスパークギャップと共に組み込まれている。
【００２７】
１つの好ましい実施形態においては、このトリガー可能なスパークギャップは、ガス放電スパークギャップまたはガス充填された電気的なサージ電圧避雷器である。
【００２８】
本発明のもう１つの態様は、本発明によるスパークギャップ装置を有する電子デバイスに関する。  この電子デバイスは、上記の電子部品を備え、ここでこの電子デバイスは、この電子部品に動作電圧を印加するように構成されている。この実施形態により、本発明によるスパークギャップ装置は、この電子部品がこのスパークギャップ装置によって、この電子部品を損傷しかねない過電圧から保護され得るように、この電子部品の動作電圧に調整することができ有利である。
【００２９】
１つの好ましい実施形態においては、上記の電子部品は、５００ボルトの最大電圧を有する１つのスーパーキャパシタである。このスーパーキャパシタは、動作電圧の安定化、たとえば電圧変換器（複数）におけるスパークギャップ装置のアプリケーション対して使用することができる。
【００３０】
この電子部品の１つの好ましい実施形態においては、この電子部品は、１つの、好ましくは電子制御された、直流電圧変換器である。
【００３１】
本発明のさらなる利点，有利な実施形態，および有用性が、以下に説明する、図に関連した実施例で示される。
【図面の簡単な説明】
【００３２】
【図１】１つのトリガー回路を有する１つのスパークギャップ装置の最小限の部品を概略的に示す。
【００３３】
スパークギャップ装置ＦＳＡは、１つのトリガー回路ＴＲＧおよび１つのトリガー可能なスパークギャップＴＦを備える。このトリガー可能なスパークギャップは、たとえばガス放電スパークギャップすなわちガス充填された電気式サージ電圧避雷器である。トリガー回路ＴＲＧは、このトリガー可能なスパークギャップＴＦと接続されている。このトリガー可能なスパークギャップは、好ましくはさらに１つのヒューズ（不図示）と接続されており、このヒューズは、このトリガー可能なスパークギャップが動作開始され、あるいは点火されると直ぐに応答するように構成されている。このヒューズは、好ましくは、このトリガー回路に回路接続され得る、過電圧に対して保護されるべき電子部品を動作電圧から分離するために設けられている。
【００３４】
トリガー回路ＴＲＧは１つのトランスＴＲを備える。  このトランスＴＲは、高圧トランスであってよい。このトランスの一次巻き線Ｔ１は、二次巻き線Ｔ２より小さく示されているが、これは好ましくはこのトランスＴＲによってこのトランスＴＲの一次側Ｔ１と二次側Ｔ２との間の電圧変換がこのトランスＴＲによって行われることを示すためである。
【００３５】
トリガー回路ＴＲＧは、図１に示すように、ツェナーダイオード（複数）、好ましくは１３個のツェナーダイオードの直列回路を備える。これらのツェナーダイオードは、好ましくはそれぞれ３３Ｖの降伏電圧すなわちツェナー電圧を有する。このようにして、電圧リミッタ部品ＳＢＫは、この電圧リミッタ部品ＳＢＫのツェナーダイオード（複数）の降伏電圧の許容値が所定の電圧範囲に規定されるように設定されている。
【００３６】
これらのツェナーダイオードの降伏電圧は、温度依存であってよい。これらのツェナーダイオードの降伏電圧は、雪崩降伏によって引き起こされ得る。これに対応して、これらのツェナーダイオードの降伏電圧の温度係数は、正であり得る。これらのツェナーダイオードの降伏電圧の許容範囲は、好ましくは温度で決まる許容範囲である。
【００３７】
さらにこれらのツェナーダイオードと直列に、１つの直列抵抗Ｒ１が接続されている。図１に示すツェナーダイオード（複数）は、スパークギャップ装置ＦＳＡの電圧リミッタ部品ＳＢＫを例示的に表すものである。この抵抗Ｒ１のスケーリングにより、たとえばこの電圧リミッタ部品ＳＢＫによる電圧降下を調整することができる。
【００３８】
さらにトリガー回路ＴＲＧは、１つのトリガーダイオードすなわち１つのダイアックＤＩを備える。このトリガーダイオードＤＩは、電圧リミッタ部品ＳＢＫと直列に接続されている。
【００３９】
さらにトリガー回路ＴＲＧは、１つの第１の抵抗Ｒ３および１つの第２の抵抗Ｒ２を備える。
【００４０】
この第１の抵抗Ｒ３は、たとえば６．８ＭΩの抵抗値を有する。さらにこのトリガー回路ＴＲＧは、１つの第１の電荷貯蔵器Ｃ１を備える。さらにこのトリガー回路ＴＲＧは、１つの第２の電荷貯蔵器Ｃ２を備える。第２の電荷貯蔵器Ｃ２は、１つの端子で上記の抵抗Ｒ３およびＲ４と接続されており、１つの第２の端子でトランスＴＲの一次巻線Ｔ１と接続されている。この第２の電荷貯蔵器の静電容量は、４７μＦであってよい。
【００４１】
第２の抵抗Ｒ２は、１つの第１の電荷貯蔵器Ｃ１と直列に接続されている。この第２の抵抗Ｒ２および第１の電荷貯蔵器Ｃ１は、上記の抵抗Ｒ１と並列に接続されている。さらにこの第２の抵抗Ｒ２を介して、この第１の電荷貯蔵器Ｃ１が充電される。
【００４２】
さらに電圧リミッタ部品ＳＢＫおよびトリガーダイオードＤＩは、たとえば過電圧で引き起こされる、所定の電圧範囲の入力インパルスを導通させ、かつ第２の抵抗Ｒ２を介して第１の電荷貯蔵器Ｃ１を充電するように構成あるいは設定されている。
【００４３】
このような過電圧による入力インパルスは、たとえば回路の部品またはアプリケーションの故障または破損の原因となり得るが、このようなものにスパークギャップ装置ＦＳＡが使用される。このスパークギャップ装置ＦＳＡは、たとえば上述の直流電圧変換器に使用することができる。上記のような部品は、たとえば上述の直流電圧変換器の出力トランジスタであってよい。
【００４４】
さらに上記のトリガー回路は、第３の抵抗Ｒ４を備え、この第３の抵抗は第１の抵抗Ｒ３と共に、印加される動作電圧の電圧分割器を形成する。第２の電荷貯蔵器Ｃ２はこの第３の抵抗Ｒ４に対し並列に接続されている。
【００４５】
この第３の抵抗Ｒ４は、たとえば２０ＭΩの抵抗値を有する。上記の電圧分割器すなわち第１の抵抗Ｒ３および第３の抵抗Ｒ４のスケーリングによって、第２の電荷貯蔵器Ｃ２がトリガー回路ＴＲＧの動作中に充電される電圧が決定される。このトリガー回路ＴＲＧは、好ましくは１つの直流電圧動作に対して設定されている。好ましくは３８０ボルト〜４２０ボルトの動作電圧、好ましくは４００ボルトがこのトリガー回路ＴＲＧに印加される。
【００４６】
さらにこのトリガー回路ＴＲＧは１つのサイリスタＴＨを備える。動作中は、第２の電荷貯蔵器Ｃ２には、好ましくは、このサイリスタＴＨを介した短絡の際に高圧トランスＴＲでの充分な電圧インパルスを生成するのに十分な電荷量あるいは電圧が残ったままとなっている。
【００４７】
さらにこのトリガー回路ＴＲＧは、もう１つの電圧リミッタ部品を備え、この部品はツェナーダイオードＤ４およびＤ５で表されている。このもう１つの電圧リミッタ部品は、第３の抵抗Ｒ４に対し並列に接続されている。さらにこのもう１つの電圧リミッタ部品は、トランスＴＲの一次側Ｔ１での電圧を過電圧から保護するために構成されている。
【００４８】
スパークギャップ装置ＦＳＡの動作中では、たとえば電荷貯蔵器Ｃ２は第１の抵抗Ｒ３を介して２８０ボルト〜３２０ボルトの電圧、好ましくは約３００ボルトの電圧に充電される。第１の電圧リミッタ部品ＳＢＫは、好ましくは、この部品が４２０〜４８０ボルトの所定の電圧範囲における入力インパルスを導通するように形成されている。
【００４９】
入力インパルスを導通した後に、第１の電荷貯蔵器Ｃ１が、第２の抵抗Ｒ２を介して充電される。これに対応してサイリスタＴＨは、第１の電荷貯蔵器Ｃ１の充電電圧によって点火され、これより、第２の電荷貯蔵器Ｃ２と一次巻線Ｔ１の下側の接続端子との間に低抵抗の接続が生成される。言い換えれば、この第２の電荷貯蔵器は、このサイリスタＴＨおよび一次巻線Ｔ１１を介して短絡される。この結果、トランスＴＲの一次巻線Ｔ１において１つの電圧パルスが生成され、この電圧パルスは二次側Ｔ２で、１つの電圧インパルスに高圧変換されてトリガー可能なスパークギャップＴＦに伝えられる。ここでもこの電圧インパルスは、この時トリガー可能なスパークギャップＴＦのトリガー動作開始、すなわち点火をもたらす。
【００５０】
本発明によるスパークギャップ装置は、１つの電子デバイスに設けられてよく、または１つの電子回路用に設けられてよい。この電子デバイスまたはこの回路（不図示）は、１つの回路、たとえば１つのスーパーキャパシタ（不図示）を備えてよく、このスーパーキャパシタが、このスパークギャップ装置によって、主にトリガー回路の動作電圧に対応する過電圧に対して保護される。このようなスーパーキャパシタの最大電圧は、好ましくは５００ボルトである。
【００５１】
代替として、上記の電子部品の最大電圧は別の１つの電圧値であってよい。
【００５２】
顕わには記載されていないが、上述の説明はここででは顕わには言及されていない、上記のトリガー回路の部品のスケーリングも同様に含むものである。特に上記の所定の電圧範囲は、別に選択されていてよく、および／または上述の動作電圧または最大電圧とは別の電圧に調整されていてよい。
【００５３】
本発明は上記の実施例を参照した説明によって限定されない。むしろ本発明は、特に請求項中の特徴の組み合わせそれぞれが含むいかなる新規な特徴、並びにいかなる新規な特徴の組み合わせをも、たとえその特徴またはその組み合わせがそれ自体として請求項または実施例に明示されていなくとも、含むものである。
【符号の説明】
【００５４】
ＴＦ    ：  トリガー可能なスパークギャップ
ＴＲＧ  ：  トリガー回路
ＴＲ    ：  トランジスタ
Ｔ１    ：  一次側
Ｔ２    ：  二次側
ＳＢＫ  ：  電圧リミッタ部品
Ｄ４，Ｄ５  ：  ツェナーダイオード
Ｒ１，Ｒ２，Ｒ３，Ｒ４，Ｒ５  ：  抵抗
Ｃ１，Ｃ２  ：  電荷貯蔵器
ＤＩ    ：  トリガーダイオード，Ｄｉａｃ
ＴＨ    ：  サイリスタ
【図１】
2016532260.tif 000003
【国際調査報告】
2016532260.tif 000004
2016532260.tif 000005
2016532260.tif 000006
2016532260.tif 000007